【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
光が被検体に照射されることにより発生する弾性波を受信手段が受信することにより得られる受信信号に基づいて被検体情報を取得する被検体情報取得装置であって、
前記被検体に照射された光の光強度が所定の閾値より大きい第一の最小構成単位、および、前記光強度が前記所定の閾値より小さい第二の最小構成単位を設定する設定手段と、
前記受信信号を用いて、前記第一の最小構成単位における被検体情報を生成し、かつ、前記第二の最小構成単位における被検体情報を生成しない生成手段と、
を有することを特徴とする被検体情報取得装置。
【請求項２】
前記被検体に照射された光の、前記被検体内における光強度分布を取得する分布取得手段をさらに有し、
前記設定手段は、前記光強度分布を用いて、前記第一の最小構成単位および前記第二の最小構成単位を設定する
ことを特徴とする、請求項１に記載の被検体情報取得装置。
【請求項３】
前記被検体の光学特性値を設定する特性設定手段を更に有し、
前記分布取得手段は、前記特性設定手段により設定された前記光学特性値を用いて、前記光強度分布を取得する
ことを特徴とする、請求項２に記載の被検体情報取得装置。
【請求項４】
前記光学特性値は、前記被検体の吸収特性を示す吸収特性値と、散乱特性を示す散乱特性値である
ことを特徴とする、請求項３に記載の被検体情報取得装置。
【請求項５】
前記設定手段は、前記受信信号の雑音等価音圧を前記吸収特性値と前記被検体のグリュナイゼン係数とで除算した値を、前記所定の閾値とする
ことを特徴とする、請求項４に記載の被検体情報取得装置。
【請求項６】
前記設定手段は、最小構成単位ごとに前記所定の閾値を算出する際に、当該最小構成単位と前記受信手段との間を前記弾性波が伝播する際の音圧の減衰比で前記雑音等価音圧を補正する
ことを特徴とする、請求項５に記載の被検体情報取得装置。
【請求項７】
前記設定手段は、前記吸収特性値が前記被検体の平均的な値よりも大きな値の最小構成単位から発生した弾性波を受信できるように、前記所定の閾値を設定する
ことを特徴とする、請求項４に記載の被検体情報取得装置。
【請求項８】
前記特性設定手段は、前記光学特性値を入力する特性入力手段を含む
ことを特徴とする、請求項３に記載の被検体情報取得装置。
【請求項９】
前記特性入力手段は、操作者による前記光学特性値の入力を受け付ける
ことを特徴とする、請求項８に記載の被検体情報取得装置。
【請求項１０】
前記特性設定手段は、前記光学特性値を測定する特性測定手段を含む
ことを特徴とする、請求項３に記載の被検体情報取得装置。
【請求項１１】
前記特性測定手段は、前記光学特性値を測定するための光学特性値測定光を前記被検体に照射する手段と、前記被検体を伝播した前記光学特性値測定光を検出する手段と、前記光学特性値測定光の検出結果に基づいて前記光学特性値を取得する手段と、を含む
ことを特徴とする、請求項１０に記載の被検体情報取得装置。
【請求項１２】
予め取得された光強度分布を記憶する分布記憶手段を更に有し、
前記分布取得手段は、前記分布記憶手段から光強度分布を取得する
ことを特徴とする、請求項２に記載の被検体情報取得装置。
【請求項１３】
前記被検体の光学特性値を設定する特性設定手段を更に有し、
前記分布取得手段は、前記分布記憶手段に記憶された前記複数の光強度分布から、前記特性設定手段により設定された前記光学特性値に対応する光強度分布を取得する
ことを特徴とする、請求項１２に記載の被検体情報取得装置。
【請求項１４】
前記設定手段は、前記光強度が前記所定の閾値より大きく、かつ、前記受信手段の指向角によって決まる指向性範囲領域に含まれる最小構成単位を前記第一の最小構成単位として設定する、
ことを特徴とする、請求項１から１３のいずれか１項に記載の被検体情報取得装置。
【請求項１５】
光が被検体に照射されることにより発生する弾性波を受信手段が受信することにより得られる受信信号に基づいて被検体情報を取得する被検体情報取得装置であって、
前記被検体に照射された光の、前記被検体内の光強度分布を取得する分布取得手段と、
前記光強度分布に基づいて、再構成対象である第一の最小構成単位、および、再構成対象でない第二の最小構成単位を設定する設定手段と、
前記受信信号を用いて、前記第一の最小構成単位における被検体情報を生成し、前記第二の最小構成単位における前記被検体情報を生成しない生成手段と、
を有することを特徴とする被検体情報取得装置。
【請求項１６】
光が被検体に照射されることにより発生する弾性波を受信手段が受信することにより得られる受信信号に基づいて被検体情報を取得する被検体情報取得装置であって、
所定の精度で前記被検体情報を取得するための十分な強度の光が照射される第一の最小構成単位、および、前記所定の精度で前記被検体情報を取得するための十分な強度の光が照射されない第二の最小構成単位を設定する設定手段と、
前記受信信号を用いて、前記第一の最小構成単位における被検体情報を生成し、前記第二の最小構成単位における前記被検体情報を生成しない生成手段と、
を有することを特徴とする被検体情報取得装置。
【請求項１７】
前記被検体に光を照射する照射手段と、
光が照射された前記被検体で発生する弾性波を受信し、前記受信信号に変換する前記受信手段と、をさらに有する
ことを特徴とする、請求項１から１６のいずれか１項に記載の被検体情報取得装置。
【請求項１８】
光が被検体に照射されることにより発生する弾性波を受信手段が受信することにより得られる受信信号に基づいて被検体情報を取得する被検体情報取得装置が行う被検体情報取得方法であって、
前記被検体に照射された光の光強度が所定の閾値より大きい第一の最小構成単位、および、前記光強度が前記所定の閾値より小さい第二の最小構成単位を設定する設定ステップと、
前記受信信号を用いて、前記第一の最小構成単位における被検体情報を生成し、かつ、前記第二の最小構成単位における被検体情報を生成しない生成ステップと、
を含むことを特徴とする被検体情報取得方法。
【請求項１９】
光が被検体に照射されることにより発生する弾性波を受信手段が受信することにより得られる受信信号に基づいて被検体情報を取得する被検体情報取得装置が行う被検体情報取得方法であって、
前記被検体に照射された光の、前記被検体内の光強度分布を取得する分布取得ステップと、
前記光強度分布に基づいて、再構成対象である第一の最小構成単位、および、再構成対象でない第二の最小構成単位を設定する設定ステップと、
前記受信信号を用いて、前記第一の最小構成単位における被検体情報を生成し、前記第二の最小構成単位における前記被検体情報を生成しない生成ステップと、
を含むことを特徴とする被検体情報取得方法。
【請求項２０】
光が被検体に照射されることにより発生する弾性波を受信手段が受信することにより得られる受信信号に基づいて被検体情報を取得する被検体情報取得装置が行う被検体情報取得方法であって、
所定の精度で前記被検体情報を取得するための十分な強度の光が照射される第一の最小構成単位、および、前記所定の精度で前記被検体情報を取得するための十分な強度の光が照射されない第二の最小構成単位を設定する設定ステップと、
前記受信信号を用いて、前記第一の最小構成単位における被検体情報を生成し、前記第二の最小構成単位における前記被検体情報を生成しない生成ステップと、
を含むことを特徴とする被検体情報取得方法。
【手続補正２】
【補正対象書類名】明細書
【補正対象項目名】０００６
【補正方法】変更
【補正の内容】
【０００６】
本発明の第一の形態に係る被検体情報取得装置は、
光が被検体に照射されることにより発生する弾性波を受信手段が受信することにより得られる受信信号に基づいて被検体情報を取得する被検体情報取得装置であって、前記被検体に照射された光の光強度が所定の閾値より大きい第一の最小構成単位、および、前記光強度が前記所定の閾値より小さい第二の最小構成単位を設定する設定手段と、前記受信信号を用いて、前記第一の最小構成単位における被検体情報を生成し、かつ、前記第二の最小構成単位における被検体情報を生成しない生成手段と、を有することを特徴とする。
また、本発明の第二の形態に係る被検体情報取得装置は、
光が被検体に照射されることにより発生する弾性波を受信手段が受信することにより得られる受信信号に基づいて被検体情報を取得する被検体情報取得装置であって、前記被検体に照射された光の、前記被検体内の光強度分布を取得する分布取得手段と、前記光強度分布に基づいて、再構成対象である第一の最小構成単位、および、再構成対象でない第二の最小構成単位を設定する設定手段と、前記受信信号を用いて、前記第一の最小構成単位における被検体情報を生成し、前記第二の最小構成単位における前記被検体情報を生成しない生成手段と、を有することを特徴とする。
また、本発明の第三の形態に係る被検体情報取得装置は、
光が被検体に照射されることにより発生する弾性波を受信手段が受信することにより得られる受信信号に基づいて被検体情報を取得する被検体情報取得装置であって、所定の精度で前記被検体情報を取得するための十分な強度の光が照射される第一の最小構成単位、および、前記所定の精度で前記被検体情報を取得するための十分な強度の光が照射されない第二の最小構成単位を設定する設定手段と、前記受信信号を用いて、前記第一の最小構成単位における被検体情報を生成し、前記第二の最小構成単位における前記被検体情報を生成しない生成手段と、を有することを特徴とする。
また、本発明の第一の形態に係る被検体情報取得方法は、
光が被検体に照射されることにより発生する弾性波を受信手段が受信することにより得られる受信信号に基づいて被検体情報を取得する被検体情報取得装置が行う被検体情報取得方法であって、前記被検体に照射された光の光強度が所定の閾値より大きい第一の最小構成単位、および、前記光強度が前記所定の閾値より小さい第二の最小構成単位を設定する設定ステップと、前記受信信号を用いて、前記第一の最小構成単位における被検体情報を生成し、かつ、前記第二の最小構成単位における被検体情報を生成しない生成ステップと、を含むことを特徴とする。
また、本発明の第二の形態に係る被検体情報取得方法は、
光が被検体に照射されることにより発生する弾性波を受信手段が受信することにより得られる受信信号に基づいて被検体情報を取得する被検体情報取得装置が行う被検体情報取得方法であって、前記被検体に照射された光の、前記被検体内の光強度分布を取得する分布取得ステップと、前記光強度分布に基づいて、再構成対象である第一の最小構成単位、および、再構成対象でない第二の最小構成単位を設定する設定ステップと、前記受信信号を用いて、前記第一の最小構成単位における被検体情報を生成し、前記第二の最小構成単位における前記被検体情報を生成しない生成ステップと、を含むことを特徴とする。
また、本発明の第三の形態に係る被検体情報取得方法は、
光が被検体に照射されることにより発生する弾性波を受信手段が受信することにより得られる受信信号に基づいて被検体情報を取得する被検体情報取得装置が行う被検体情報取得方法であって、所定の精度で前記被検体情報を取得するための十分な強度の光が照射される第一の最小構成単位、および、前記所定の精度で前記被検体情報を取得するための十分な強度の光が照射されない第二の最小構成単位を設定する設定ステップと、前記受信信号を用いて、前記第一の最小構成単位における被検体情報を生成し、前記第二の最小構成単位における前記被検体情報を生成しない生成ステップと、を含むことを特徴とする。